(57)【要約】【課題】重要物の管理を厳正に行うことのできる重要物管理装置を提供する。【解決手段】中区画１３ｂに収納されている重要物を取り出した後、又は、中区画１３ｂに重要物を収納した後、開閉扉１４ｂを閉じる。その後、ユーザがタッチパネル３で取り出し又は収納の終了を操作すると、コンピューター７は、ＬＥＤ１６を消灯させるとともに、中区画１３ｂのロック部２０を作動させることにより、開閉扉１４ｂがロックされる。開閉扉１４ｂが閉じられたことを開閉センサー３０が検知し、その結果をコンピューター７に送信する。これにより、コンピューター７は、中区画１３ｂの開閉扉１４ｂが開かれ、再び閉じられたことを記憶する。【選択図】図５
2016160708.tif 000002
【特許請求の範囲】
【請求項１】
重要物を収納する少なくとも１つの開閉可能な収納庫と、
制御部と
を備える重要物管理装置であって、
前記収納庫の内部は複数の区画に分けられ、該区画には開閉扉が設けられ、
前記開閉扉には、該開閉扉の開閉動作を検知する開閉センサーが設けられ、
前記制御部は、各開閉センサーによって検知された結果を受け取る重要物管理装置。
【請求項２】
前記複数の区画内に収納された重要物を取り出すための操作、あるいは、重要物を前記複数の区画内に収納するための操作が行われる操作部と、
前記開閉扉のそれぞれが開かないようにするロック部と
をさらに備え、
前記制御部は、前記操作部で行われた操作に基づき、前記取り出される重要物あるいは前記収納される重要物に対応する区画の開閉扉以外の開閉扉は、前記ロック部によって開閉できないようにする、請求項１に記載の重要物管理装置。
【請求項３】
各区画は通知部を備え、
前記制御部は、前記操作部で行われた操作に基づき、前記取り出される重要物あるいは前記収納される重要物に対応する区画の通知部を作動させる、請求項２に記載の重要物管理装置。
【請求項４】
通帳を保管し該通帳を放出する通帳管理部と、
証書を保管し該証書を放出する証書管理部と
の少なくとも１つをさらに備え、
前記操作部は、前記通帳管理部から前記通帳を放出するための操作及び前記証書管理部から前記証書を放出するための操作の少なくとも１つも行われる、請求項２または３に記載の重要物管理装置。
【発明の詳細な説明】
【技術分野】
【０００１】
この発明は、印鑑や通帳、証書等の重要物を管理する重要物管理装置に関する。
【背景技術】
【０００２】
従来の重要物管理装置が特許文献１に記載されている。この重要物管理装置は、重要物を収納可能な複数の収納庫を備え、収納庫の開閉を管理することで重要物の管理を行っている。
【先行技術文献】
【特許文献】
【０００３】
【特許文献１】特開２０１２−２３６０７９号公報
【発明の概要】
【発明が解決しようとする課題】
【０００４】
しかしながら、収納庫として引出型のものを採用し、各収納庫内の空間をいくつかの区画に区切り、各区切りに開閉扉を設けた場合、収納庫の開閉管理だけでは重要物の管理を厳正に行うことができない。
【０００５】
この発明はこのような問題点を解決するためになされたもので、重要物の管理を厳正に行うことのできる重要物管理装置を提供することを目的とする。
【課題を解決するための手段】
【０００６】
この発明に係る重要物管理装置は、重要物を収納する少なくとも１つの開閉可能な収納庫と、制御部とを備え、収納庫の内部は複数の区画に分けられ、各区画には開閉扉が設けられ、各開閉扉には、開閉扉の開閉動作を検知する開閉センサーが設けられ、制御部は、各開閉センサーによって検知された結果を受け取る。
複数の区画内に収納された重要物を取り出すための操作、あるいは、重要物を複数の区画内に収納するための操作が行われる操作部と、開閉扉のそれぞれが開かないようにするロック部とをさらに備え、制御部は、操作部で行われた操作に基づき、取り出される重要物あるいは収納される重要物に対応する区画の開閉扉以外の開閉扉は、ロック部によって開閉できないようにしてもよい。
各区画は通知部を備え、制御部は、操作部で行われた操作に基づき、取り出される重要物あるいは収納される重要物に対応する区画の通知部を作動させてもよい。
通帳を保管し通帳を放出する通帳管理部と、証書を保管し証書を放出する証書管理部との少なくとも１つをさらに備え、操作部は、通帳管理部から通帳を放出するための操作及び証書管理部から証書を放出するための操作の少なくとも１つも行われてもよい。
【発明の効果】
【０００７】
この発明によれば、重要物を収納する少なくとも１つの開閉可能な収納庫の内部が複数の区画に分けられ、各区画には開閉扉が設けられた重要物管理装置において、開閉扉の開閉動作を検知する開閉センサーによって検知された結果を制御部が受け取ることによって、開閉動作が行われた区画内に収納された重要物が取り出されたこと、あるいは、その区画に重要物が収納されたことを管理できるので、重要物の管理を厳正に行うことができる。
【図面の簡単な説明】
【０００８】
【図１】この発明の実施の形態に係る重要物管理装置の斜視図である。
【図２】図１のＩＩ−ＩＩ線に沿った断面図である。
【図３】図２を矢印ＩＩＩの方向から見た図である。
【図４】図２のＩＶ−ＩＶ線に沿った断面図である。
【図５】この発明の実施の形態に係る重要物管理装置において、収納庫の区画に収納された重要物を取り出す状態の斜視図である。
【図６】この実施の形態に係る重要物管理装置の変形例の斜視図である。
【発明を実施するための形態】
【０００９】
以下、この発明の実施の形態を添付図面に基づいて説明する。
図１に示されるように、重要物管理装置１は、略直方体形状の装置本体２を備え、装置本体２の上部には、タッチパネル３と、ＩＣカードリーダー４と、磁気カードリーダー５と、プリンター６とが設けられている。ＩＣカードリーダー４及び磁気カードリーダー５はそれぞれ、ＩＣカード及び磁気カードのそれぞれに記憶された情報を読み取るもので、この情報を読み取ることにより、タッチパネル３を操作することができるようになる。ここで、タッチパネル３と、ＩＣカードリーダー４と、磁気カードリーダー５とは操作部を構成する。
【００１０】
装置本体２の内部には、制御部であるコンピューター７が設けられている。コンピューター７には、タッチパネル３と、ＩＣカードリーダー４と、磁気カードリーダー５と、プリンター６とがそれぞれ、有線または無線の任意の手段によって通信可能に接続されている。
【００１１】
また、装置本体２には、通帳管理部１１と、証書管理部１２と、２つの収納庫１３，１４とが設けられている。通帳管理部１１は、重要物である通帳を収納する図示しない収納部を装置本体２の内部に有し、装置本体２の正面に、収納部内の通帳が放出される通帳放出開口１１ａを有している。証書管理部１２は、重要物である証書を収納する図示しない収納部を装置本体２の内部に有し、装置本体２の正面に、収納部内の証書が放出される証書放出開口１２ａを有している。
【００１２】
収納庫１４は引出型の収納庫であり、内部には、図示しない１つの収納部が設けられている。収納庫１３も引出型の収納庫であるが、図２に示されるように、内部の収納部が８つの小区画１３ａと、小区画１３ａよりも大きな２つの中区画１３ｂと、中区画１３ｂより大きな２つの大区画１３ｃとの合計１２の区画に分けられている。小区画１３ａと中区画１３ｂと大区画１３ｃとのそれぞれには、開閉可能な開閉扉１４ａ，１４ｂ，１４ｃが設けられている。各開閉扉１４ａ，１４ｂ，１４ｃは、樹脂等の透明な材料から形成され、閉じた状態でも区画の内部に収容された重要物である印鑑、鍵、フラッシュメモリー、小切手、収入印紙等（いずれも図示されていない）が見えるようになっている。
【００１３】
例えば、中区画１３ｂは、開閉扉１４ｂを閉じたときに開閉扉１４ｂの下面１４ｂ２が接する板状のブラケット１５を有している。ブラケット１５には、通知部であるＬＥＤ１６が設けられている。ＬＥＤ１６は、コンピューター７（図１参照）に電気的に接続され、コンピューター７によって点灯・消灯が制御されている。小区画１３ａ及び大区画１３ｃも同様にブラケット１５を有し、ブラケット１５にはＬＥＤ１６及び貫通孔１９が設けられている。すなわち、各区画には、それぞれに対応するＬＥＤ１６が設けられている。
【００１４】
開閉扉１４ｂの上面１４ｂ１には、開閉扉１４ｂを開閉する際に摘ままれる摘まみ部１７が設けられ、下面１４ｂ２には、摘まみ部１７のちょうど裏側の位置に、下面１４ｂ２から突出するようにＬ字状の断面を有する突起部１８が設けられている。図３に示されるように、突起部１８には、係合孔１８ａが設けられている。また、開閉扉１４ａ，１４ｃ（図２参照）にも同様に、摘まみ部１７及び突起部１８が設けられている。
【００１５】
図４に示されるように、中区画１３ｂには、開閉扉１４ｂの開閉をロックするためのロック部２０が設けられている。ロック部２０は、係合孔１８ａに挿入可能な係合部２１ａを有するとともに回転軸２３を中心に回動可能に設けられたロックフック２１と、ソレノイド２２とを備えている。ソレノイド２２は、伸縮可能なピストン部２２ａを有し、ピストン部２２ａの先端がロックフック２１に接続されている。ピストン部２２ａが伸縮することにより、ロックフック２１が回転軸２３を中心に回動する。ピストン部２２ａが延びるとロックフック２１は、係合部２１ａが係合孔１８ａに挿入されるように回動し（符号２２において二点鎖線で描かれた状態）、ピストン部２２ａが縮むとロックフック２１は、係合部２１ａが係合孔１８ａから外れるように回動する（符号２２において実線で描かれた状態）。
【００１６】
また、ロック部２０の近傍には、開閉扉１４ｂの開閉動作を検知する開閉センサー３０が設けられている。開閉センサー３０は、開閉扉１４ｂが閉じて突起部１８が貫通孔１９（図２参照）に挿入されたときに、突起部１８を挟むように位置する送信部３０ａ及び受信部３０ｂを有している。送信部３０ａから受信部３０ｂへ光やレーザー等を送信するようになっている。突起部１８が送信部３０ａと受信部３０ｂとの間に位置すると、受信部３０ｂは光やレーザー等を受信しないので、開閉扉１４ｂが閉じた状態であると判定できる。一方、受信部３０ｂが光やレーザー等を受信した場合には、開閉扉１４ｂが開いた状態であると判定できる。
【００１７】
ロック部２０及び開閉センサー３０は、中区画１３ｂだけではなく、各小区画１３ａ及び各大区画１３ｃにも設けられており、各開閉扉１４ａ及び各開閉扉１４ｃも同じ構成のロック部２０によって開かないようにロックされ、同じ構成の開閉センサー３０によってそれらの開閉動作が検知される。
【００１８】
次に、重要物管理装置１の動作について説明する。
図１に示されるように、ユーザが、図示しないＩＣカード及び磁気カードのいずれか又は両方に記憶された情報をＩＣカードリーダー４及び磁気カードリーダー５に読み取らせる。読み取られた情報はコンピューター７に送信され、当該ユーザが重要物管理装置１を取り扱うことができる人か否かをコンピューター７が判定する。当該ユーザが重要物管理装置１を取り扱うことができる人である場合には、コンピューター７はタッチパネル３に操作画面を表示させる。
【００１９】
ユーザがタッチパネル３で通帳を取り出す操作をした場合には、コンピューター７は、通帳管理部１１に収納されている通帳４１（図５参照）を通帳放出開口１１ａから放出させる。コンピューター７は、当該ユーザが通帳を取り出したことを記憶する。また、ユーザがタッチパネル３で証書を取り出す操作をした場合には、コンピューター７は、証書管理部１２に収納されている証書４２（図５参照）を証書放出開口１２ａから放出させる。コンピューター７は、当該ユーザが証書を取り出したことを記憶する。さらに、ユーザがタッチパネル３で収納庫１４に収納されている任意の重要物を取り出す又は重要物を収納庫１４へ返却する操作をした場合には、コンピューター７は収納庫１４を開く。コンピューター７は、収納庫１４が開閉されたことから、ユーザが収納庫１４に収納されている任意の重要物を取り出したこと又は重要物を返却したことを記憶する。
【００２０】
また、ユーザがタッチパネル３で収納庫１３に収納されている任意の重要物を取り出す又は重要物を収納庫１３へ返却する操作をした場合には、コンピューター７は収納庫１３を開く。コンピューター７は、タッチパネル３における操作でユーザが取り出そうとしている又は収納しようとしている重要物に対応する区画のＬＥＤ１６（図２参照）を点灯させる。各開閉扉が閉じている場合、各ＬＥＤ１６は各開閉扉の下側にあるが、各開閉扉は透明であるので、ユーザは、点灯したＬＥＤ１６を見ることができる。またこれと同時にコンピューター７は、図４に示されるように、当該区画のロック部２０のソレノイド２２を作動させ、ピストン部２２ａを縮ませる。ピストン部２２ａが縮むとロックフック２１が回転軸２３を中心に回動し、係合部２１ａが係合孔１８ａから外れる。この状態でユーザが摘まみ部１７を摘まんで上方に持ち上げると、開閉扉が開く。この開閉扉が開いたことを開閉センサー３０が検知し、コンピューター７に検知された結果を送信する。
【００２１】
図５には、中区画１３ｂのうちの１つの開閉扉１４ｂが開いた状態が図示されている。中区画１３ｂに収納されている重要物を取り出した後、又は、中区画１３ｂに重要物を収納した後、開閉扉１４ｂを閉じる。その後、ユーザがタッチパネル３で取り出し又は収納の終了を操作すると、コンピューター７は、ＬＥＤ１６（図２参照）を消灯させるとともに、図４に示されるように、当該区画のロック部２０のソレノイド２２を作動させ、ピストン部２２ａを伸ばす。ピストン部２２ａが伸びるとロックフック２１が回転軸２３を中心に回動し、係合部２１ａが係合孔１８ａに挿入される。係合部２１ａが係合孔１８ａに挿入されると、この状態でユーザが摘まみ部１７を摘まんで上方に持ち上げても係合孔１８ａが係合部２１ａに引っかかるので、開閉扉は開かない。すなわち、開閉扉がロックされる。開閉扉が閉じられたことを開閉センサー３０が検知し、その結果をコンピューター７に送信する。これにより、コンピューター７は、当該区画の開閉扉が開かれ、再び閉じられたことを記憶する。
【００２２】
開閉扉がロックされた後、図１に示されるように、コンピューター７は収納庫１３を閉じる。コンピューター７には、重要物管理装置１を取り扱うことができる人が、ある重要物に関する区画の開閉扉を開いた後、再び閉じる操作を行ったことが記憶されている。これにより、その人が、当該重要物を取り出したこと又は収納したことをコンピューター７によって管理されることとなる。必要に応じてタッチパネル３での操作により、重要物の取り出し及び収納の事実をプリンター６からプリントアウトすることもできる。
【００２３】
このように、重要物を収納する収納庫１３の内部が小区画１３ａと中区画１３ｂと大区画１３ｃとに分けられ、各区画には開閉扉１４ａ，１４ｂ，１４ｃが設けられた重要物管理装置１において、開閉扉１４ａ，１４ｂ，１４ｃの開閉動作を検知する開閉センサー３０によって検知された結果をコンピューター７が受け取ることによって、開閉動作が行われた区画内に収納された重要物が取り出されたこと、あるいは、その区画に重要物が収納されたことを管理できるので、重要物の管理を厳正に行うことができる。
【００２４】
この実施の形態では、各区画にＬＥＤ１６及びロック部２０が設けられていたが、これらが設けられていなくてもよい。各開閉扉が透明であることから、どの重要物がどの区画に収納されているかが確認できるので、開閉センサー３０によって各開閉扉の開閉を検知し、その結果をコンピューター７が記憶できれば、開閉動作が行われた区画内に収納された重要物が取り出されたこと、あるいは、その区画に重要物が収納されたことを管理できる。
【００２５】
この実施の形態では、重要物管理装置１は、通帳管理部１１と証書管理部１２と収納庫１３，１４とを備えていたが、この形態に限定するものではない。内部が複数の区画に分けられた収納庫１３を少なくとも１つ備えていれば、通帳管理部１１と証書管理部１２と収納庫１４とのいずれも設けられていない形態、あるいは、それらのうち少なくとも１つが設けられた形態であってもよい。
【００２６】
この実施の形態では、収納庫１３内が、大きさによって小区画１３ａと中区画１３ｂと大区画１３ｃとの３種類に分けられ、それぞれが８つ、２つ、２つずつ設けられていたが、この形態に限定するものではない。各区画が全て同じであってもよいし、２種類あるいは４種類以上の大きさまたは形状で区画されてもよく、各種類の区画の個数もいくつであってもよい。また、ロック部２０及び開閉センサー３０も、この実施の形態に記載されたものに限定されず、開閉扉をロックできるもの及び開閉扉の開閉動作を検知できる公知の任意の構成のものであってもよい。
【００２７】
この実施の形態では、通知部はＬＥＤ１６であったが、これに限定するものではない。任意の照明具であってもよいし、任意の部材が突出する等の機械的な動作により、どの区画が該当するかを知らせるものであってもよい。また、文字や画像等を移す液晶画面等であってもよい。
【００２８】
また、図６に示されるように、重要物管理装置１に対して、増設ユニット４０及び金庫５０を、有線又は無線の公知の通信手段を介してコンピューター７と通信可能となるように増設してもよい。増設ユニット４０は、重要物管理装置１に設けられたものと同じ構成の通帳管理部１１と、証書管理部１２と、収納庫１３，１４とを有している。これらに収納された重要物も、これらの開閉及び収納庫１３内部の開閉扉の開閉を検知して通信手段を介してコンピューター７に記憶することにより管理できる。また、金庫５０の扉の開閉を検知して通信手段を介してコンピューター７に記憶することにより、金庫５０に収納された重要物も管理できる。この場合、金庫５０には、金庫５０の扉の開閉を検知する開閉センサーを設け、開閉センサーとコンピューター７とを通信手段を介して通信可能な構成にすればよい。尚、重要物管理装置１に対して増設するのは、増設ユニット４０及び金庫５０の一方だけでもよく、また、増設するそれぞれの個数も任意である。さらに、増設ユニット４０は、通帳管理部１１と証書管理部１２と収納庫１３，１４とを備えていたが、この形態に限定するものではない。内部が複数の区画に分けられた収納庫１３を少なくとも１つ備えていれば、通帳管理部１１と証書管理部１２と収納庫１４とのいずれも設けられていない形態、あるいは、それらのうち少なくとも１つが設けられた形態であってもよい。
【符号の説明】
【００２９】
１  重要物管理装置、３  タッチパネル（操作部）、４  ＩＣカードリーダー（操作部）、５  磁気カードリーダー（操作部）、７  コンピューター（制御部）、１１  通帳管理部、１２  証書管理部、１３  収納庫、１３ａ  小区画（区画）、１３ｂ  中区画（区画）、１３ｃ  大区画（区画）、１４ａ，１４ｂ，１４ｃ  開閉扉、１６  ＬＥＤ（通知部）、２０  ロック部、３０  開閉センサー。
【図１】
2016160708.tif 000003
【図２】
2016160708.tif 000004
【図３】
2016160708.tif 000005
【図４】
2016160708.tif 000006
【図５】
2016160708.tif 000007
【図６】
2016160708.tif 000008